(57)【要約】【課題】インナーデッキが踏段に落下することを防止することができる乗客コンベヤのインナーデッキ取外治具を得る。【解決手段】踏段１００に設けられる基部１と、基部１から高さ方向に延びて設けられ、上端部が踏段１００の幅方向について移動するように基部１に対して回動する回動棒３と、インナーデッキ１０２に形成された凹部１０５に挿入される爪部４２を有し、回動棒３に接続された引掛棒４と、インナーデッキ１０２の下部がスカートガード１０３から外れた場合にインナーデッキ１０２の下部を支持するインナーデッキ支持部２とを備え、爪部４２が凹部１０５に挿入された状態で回動棒３の上部が踏段１００の幅方向内側に向かう方向に回動棒３を回動させることによって、インナーデッキ１０２がスカートガード１０３に対して幅方向内側に移動し、インナーデッキ支持部２がインナーデッキ１０２の下部を支持する。【選択図】図１
2017057049.tif 000002
【特許請求の範囲】
【請求項１】
基部と、
前記基部から高さ方向に延びて設けられ、上方から視た場合に上端部が踏段の幅方向について移動するように前記基部に対して回動する回動棒と、
インナーデッキの上面に形成された凹部に挿入される爪部を有し、前記回動棒に接続された引掛棒と、
前記インナーデッキの下部がスカートガードから外れた場合に前記インナーデッキの下部を支持するインナーデッキ支持部と
を備え、
前記爪部が前記凹部に挿入された状態で前記回動棒の上部が前記踏段の幅方向内側に向かう方向に前記回動棒が回動することによって、前記インナーデッキが前記スカートガードに対して前記幅方向内側に移動し、前記インナーデッキの下部が前記スカートガードから外れて、前記インナーデッキ支持部が前記インナーデッキの下部を支持する乗客コンベヤのインナーデッキ取外治具。
【請求項２】
前記インナーデッキ支持部が前記インナーデッキの下部を支持する場合に前記インナーデッキ支持部に対して前記インナーデッキが前記インナーデッキの長手方向に移動することを規制する規制部をさらに備えている請求項１に記載の乗客コンベヤのインナーデッキ取外治具。
【請求項３】
前記基部は、前記踏段に形成されたクリート溝に挿入可能な突出部を有している請求項１または請求項２に記載の乗客コンベヤのインナーデッキ取外治具。
【発明の詳細な説明】
【技術分野】
【０００１】
この発明は、インナーデッキを取り外す際に用いられる乗客コンベヤのインナーデッキ取外治具に関する。
【背景技術】
【０００２】
従来、主枠に立てられた欄干パネルと、欄干パネルよりも踏段側に設けられたスカートガードと、欄干パネルとスカートガードとの間に設けられたインナーデッキとを備えたエスカレータが知られている（例えば、特許文献１参照）。
【先行技術文献】
【特許文献】
【０００３】
【特許文献１】特開２０１１−１１１３２４号公報
【発明の概要】
【発明が解決しようとする課題】
【０００４】
しかしながら、インナーデッキを取り外す際には、インナーデッキの下部がスカートガードから外されるので、作業者がインナーデッキを把持していない場合には、インナーデッキが踏段に落下してしまうという問題点があった。
【０００５】
この発明は、インナーデッキが踏段に落下することを防止することができる乗客コンベヤのインナーデッキ取外治具を提供するものである。
【課題を解決するための手段】
【０００６】
この発明に係る乗客コンベヤのインナーデッキ取外治具は、基部と、基部から高さ方向に延びて設けられ、上方から視た場合に上端部が踏段の幅方向について移動するように基部に対して回動する回動棒と、インナーデッキの上面に形成された凹部に挿入される爪部を有し、回動棒に接続された引掛棒と、インナーデッキの下部がスカートガードから外れた場合にインナーデッキの下部を支持するインナーデッキ支持部とを備え、爪部が凹部に挿入された状態で回動棒の上部が踏段の幅方向内側に向かう方向に回動棒が回動することによって、インナーデッキがスカートガードに対して幅方向内側に移動し、インナーデッキの下部がスカートガードから外れて、インナーデッキ支持部がインナーデッキの下部を支持する。
【発明の効果】
【０００７】
この発明に係る乗客コンベヤのインナーデッキ取外治具によれば、インナーデッキの下部がスカートガードから外れた場合に、インナーデッキ支持部がインナーデッキの下部を支持するので、インナーデッキが踏段に落下することを防止することができる。
【図面の簡単な説明】
【０００８】
【図１】この発明の実施の形態１に係るインナーデッキ取外治具を示す側面図である。
【図２】図１の基部本体を示す拡大図である。
【図３】図１の回動棒を回動させた状態を示す図である。
【図４】図１のインナーデッキ取外治具をエスカレータに設置した状態を示す図である。
【図５】図４の回動棒を回動させた状態を示す図である。
【図６】この発明の実施の形態２に係るインナーデッキ取外治具を示す正面図である。
【図７】図６のインナーデッキ取外治具の要部を示す平面図である。
【図８】この発明の実施の形態３に係るインナーデッキ取外治具を示す側面図である。
【図９】図８の回動棒を回動させた状態を示す図である。
【発明を実施するための形態】
【０００９】
実施の形態１．
図１はこの発明の実施の形態１に係るインナーデッキ取外治具を示す側面図である。図において、エスカレータのインナーデッキ取外治具は、基部１と、基部１に設けられたインナーデッキ支持部２と、基部１に回動可能に設けられ高さ方向に延びる回動棒３と、回動棒３の長手方向中間部に設けられた引掛棒４と、回動棒３の上端部に設けられたグリップ部５とを備えている。
【００１０】
基部１は、基部本体１１と、基部本体１１の上面に立てられた棒部材１２と、棒部材１２の上端部に設けられた回動軸支持部１３と、回動軸支持部１３に支持され、水平方向に延びた回動軸１４とを有している。回動棒３の下端部は回動軸１４に接続されている。回動棒３は回動軸１４を中心に回動する。
【００１１】
図２は図１の基部本体１１を示す拡大図である。図２では、基部本体１１がエスカレータの踏段１００に取り付けられた状態を示している。基部１は、踏段１００に設けられる。基部本体１１は、踏段１００のクリート溝１０１に挿入される複数の突出部１１１を有している。クリート溝１０１は、踏段１００の移動方向に延びて形成されている。それぞれの突出部１１１は、クリート溝１０１の長手方向に延びて形成されている。また、それぞれの突出部１１１は、踏段１００の幅方向に並べて配置されている。突出部１１１がクリート溝１０１に挿入されることによって、基部本体１１は、踏段１００に対して踏段１００の幅方向についての移動が規制される。なお、突出部１１１は、複数に限らず、１個であってもよい。
【００１２】
図３は図１の回動棒３を回動させた状態を示す図である。回動棒３は、基端部が回動棒３に接続され先端部が基端部よりも上方に配置される回動棒本体３１と、回動棒本体３１の長手方向中間部に設けられた回動軸支持部３２と、回動軸支持部３２に支持され、水平方向に延びた回動軸３３とを有している。回動軸１４および回動軸３３は、互いに平行に配置されている。
【００１３】
引掛棒４は回動軸３３に取り付けられている。引掛棒４は、回動軸３３を中心に回動可能となっている。引掛棒４は、基端部が回動軸３３に接続され先端部が回動軸３３から離れて配置される引掛棒本体４１と、引掛棒本体４１の先端部に設けられた爪部４２とを有している。爪部４２は、引掛棒本体４１の先端部から下方に延びるように配置されている。
【００１４】
グリップ部５は、回動棒本体３１の上端部に設けられている。グリップ部５は、作業者が把持しやすくなるように、ゴムから構成されている。なお、グリップ部５は、ゴムに限らずその他の材料から構成されてもよい。
【００１５】
次に、インナーデッキ取外治具を用いてインナーデッキ１０２を取り外す方法について説明する。図４は図１のインナーデッキ取外治具をエスカレータに設置した状態を示す図、図５は図４の回動棒３を回動させた状態を示す図である。インナーデッキ１０２の下部は、スカートガード１０３の上部に支持されている。インナーデッキ１０２の下部およびスカートガード１０３の上部は、図示しないクリップによって上下方向について互いに離れることが防止されている。インナーデッキ１０２の上部は、主枠に固定された固定部材１０４に支持されている。インナーデッキ１０２の上部および固定部材１０４は、図示しないボルトを用いて互いに固定されている。インナーデッキ１０２の上面には、凹部１０５が形成されている。
【００１６】
インナーデッキ１０２を取り外す場合には、まず、固定部材１０４とインナーデッキ１０２の上部とを固定しているボルトを取り外す。その後、基部１を踏段１００の上面に取り付ける。このとき、基部本体１１の突出部１１１を踏段１００のクリート溝１０１に挿入して、基部本体１１が踏段１００に対して踏段１００の幅方向に移動することを規制する。
【００１７】
その後、爪部４２を凹部１０５に上方から挿入する。このとき、回動棒３は、回動棒本体３１の長手方向が鉛直方向となるように配置される。このときの回動棒３の位置を起立位置とする。なお、回動棒３の位置が起立位置の場合に、回動棒本体３１の長手方向が鉛直方向とならなくてもよい。
【００１８】
その後、上方から視た場合に回動棒本体３１の先端部が踏段１００の幅方向内側に移動するように回動軸１４を中心に回動棒本体３１を回動させる。これにより、回動棒本体３１は、先端部が基端部よりも踏段１００の幅方向内側に配置される。このときの回動棒３の位置を傾斜位置とする。
【００１９】
回動棒３が起立位置から傾斜位置に変位すると、爪部４２が踏段１００の幅方向内側に移動するので、インナーデッキ１０２が踏段１００の幅方向内側に移動する。これにより、インナーデッキ１０２の下部がスカートガード１０３から外れて、インナーデッキ支持部２がインナーデッキ１０２の下部を支持する。インナーデッキ支持部２の高さ方向の位置は、スカートガード１０３の上部の高さ方向の位置と一致するようになっている。これにより、インナーデッキ１０２がスカートガード１０３から外れてインナーデッキ支持部２に支持される際に、インナーデッキ１０２が上下方向に移動しない。インナーデッキ支持部２に支持されたインナーデッキ１０２は、作業者により持ち運ばれる。
【００２０】
以上説明したように、この発明の実施の形態１に係るインナーデッキ取外治具によれば、踏段１００に対して固定される基部１と、基部１から高さ方向に延びて設けられ、上方から視た場合に上端部が幅方向について移動するように基部１に対して回動する回動棒３と、インナーデッキ１０２の上面に形成された凹部１０５に挿入する爪部４２を有し、回動棒３に接続された引掛棒４と、基部１に設けられ、インナーデッキ１０２の下部がスカートガード１０３から外れた場合にインナーデッキ１０２の下部を支持するインナーデッキ支持部２とを備え、爪部４２が凹部１０５に挿入された状態で回動棒３の上部が幅方向内側に向かう方向に回動棒３が回動することによって、インナーデッキ１０２がスカートガード１０３に対して幅方向内側に移動し、インナーデッキ１０２の下部がスカートガード１０３から外れて、インナーデッキ支持部２がインナーデッキ１０２の下部を支持するので、インナーデッキ１０２の下部がスカートガード１０３から外れた場合に、インナーデッキ支持部２がインナーデッキ１０２の下部を支持する。これにより、インナーデッキ１０２が踏段１００に落下することを防止することができる。
【００２１】
また、基部１は、踏段１００に形成されたクリート溝１０１に挿入可能な突出部１１１を有しているので、回動棒３を回動させてインナーデッキ１０２をスカートガード１０３に対して幅方向内側に移動させる場合に、基部１が踏段１００に対して踏段１００の幅方向についての移動することを規制することができる。
【００２２】
実施の形態２．
図６はこの発明の実施の形態２に係るインナーデッキ取外治具を示す正面図、図７は図６のインナーデッキ取外治具の要部を示す平面図である。この例では、２個のインナーデッキ取外治具を用いてインナーデッキ１０２を取り外す。２個のインナーデッキ取外治具の中の一方のインナーデッキ取外治具は、インナーデッキ支持部２がインナーデッキ１０２の下部を支持する場合にインナーデッキ支持部２に対してインナーデッキ１０２がインナーデッキ１０２の長手方向に移動することを規制する規制部６をさらに備えている。規制部６は、インナーデッキ支持部２がインナーデッキ１０２の下部を支持する場合にインナーデッキ１０２が下階側階床に向かって移動することを規制する。その他の構成は、実施の形態１と同様である。
【００２３】
以上説明したように、この発明の実施の形態２に係るインナーデッキ取外治具によれば、インナーデッキ支持部２がインナーデッキ１０２の下部を支持する場合にインナーデッキ支持部２に対してインナーデッキ１０２がインナーデッキ１０２の長手方向に移動することを規制する規制部６を備えているので、インナーデッキ１０２の下部がスカートガード１０３から外れて、インナーデッキ支持部２がインナーデッキ１０２の下部を支持する場合に、インナーデッキ１０２がインナーデッキ支持部２から長手方向について滑り落ちることを防止することができる。
【００２４】
なお、各上記実施の形態では、基部１が踏段１００に対して取り付けられる構成について説明したが、基部１がスカートガード１０３に対して取り付けられる構成であってもよい。
【００２５】
また、各上記実施の形態では、インナーデッキ支持部２が基部１に対して取り付けられる構成について説明したが、インナーデッキ支持部２が回動棒３に対して取り付けられる構成であってもよい。
【００２６】
実施の形態３．
図８はこの発明の実施の形態３に係るインナーデッキ取外治具を示す側面図である。図８では、インナーデッキ取外治具をエスカレータに設置した状態を示している。図において、インナーデッキ取外治具は、スカートガード１０３に設けられる基部１と、基部１に回動可能に設けられ高さ方向に延びる回動棒３と、回動棒３に設けられたインナーデッキ支持部７と、回動棒３におけるインナーデッキ支持部７が接続された部分よりも上方の部分に接続された引掛棒８と、回動棒３の上端部に設けられたグリップ部５とを備えている。
【００２７】
基部１は、スカートガード１０３に取り付けられる回動軸支持部１３と、回動軸支持部１３に支持され、水平方向に延びた回動軸１４とを有している。回動棒３は、実施の形態１に記載の回動棒３と同様の構成となっている。
【００２８】
インナーデッキ支持部７の一端部は、回動棒本体３１に接続されている。インナーデッキ支持部７は、インナーデッキ支持部７の他端部に爪部７１を有している。爪部７１は、インナーデッキ支持部７がインナーデッキ１０２の下部を支持する場合にインナーデッキ支持部７から離れる方向にインナーデッキ１０２が移動することを規制する。インナーデッキ支持部７は、インナーデッキ支持部７の一端部を中心に回動棒本体３１に対して回動可能となっている。
【００２９】
図９は図８の回動棒３を回動させた状態を示す図である。インナーデッキ支持部７は、回動棒３の位置が起立位置である場合に、インナーデッキ支持部７の一端部が他端部よりも上方に位置するように配置される。一方、インナーデッキ支持部７は、回動棒３の位置が傾斜位置である場合に、インナーデッキ支持部７が水平方向に延びるように配置される。したがって、回動棒３が起立位置から傾斜位置に変位すると、インナーデッキ支持部７は、回動棒３側の端部を中心に回動して、インナーデッキ１０２の下部を支持する。インナーデッキ支持部７は、回動棒３が起立位置から傾斜位置に変位する場合に、回動棒３側の端部を中心に回動してインナーデッキ１０２の下部を支持する構成であればよく、例えば、回動棒３の回動に連動してインナーデッキ支持部７が回動棒３に対して回動する構成であってもよく、または、グリップ部５に作業者が握るためのハンドルを設け、このハンドルとインナーデッキ支持部７と渡ってワイヤを設けて、ハンドルを作業者が握ることによってインナーデッキ支持部７が回動棒３に対して回動する構成であってもよい。
【００３０】
引掛棒８は、回動軸３３に取り付けられている。引掛棒８は、回動軸３３を中心に回動可能となっている。引掛棒８は、基端部が回動軸３３に接続され先端部が回動軸３３から離れて配置される引掛棒本体８１と、引掛棒本体８１の先端部に設けられ、インナーデッキ１０２の凹部１０５に上方から挿入される挿入爪部８２と、引掛棒本体８１の先端部に設けられ、インナーデッキ１０２の上部を支持する支持爪部８３とを有している。挿入爪部８２は、実施の形態１に記載の爪部４２と同様の構成となっている。支持爪部８３は、インナーデッキ１０２の上部を固定部材１０４から外す際に、インナーデッキ１０２の上部を支持する。その他の構成は、実施の形態１と同様である。なお、実施の形態２と同様に、インナーデッキ取外治具が規制部をさらに備えてもよい。
【００３１】
次に、インナーデッキ取外治具を用いてインナーデッキ１０２を取り外す方法について説明する。まず、固定部材１０４とインナーデッキ１０２の上部とを固定しているボルトを取り外す。その後、基部１をスカートガード１０３に取り付ける。
【００３２】
その後、挿入爪部８２を凹部１０５に上方から挿入し、インナーデッキ１０２の上部を支持爪部８３に支持させる。この例では、回動棒３は回動棒本体３１の長手方向が鉛直方向となるように配置されていないものの、このときの回動棒３の位置を起立位置とする。
【００３３】
その後、上方から視た場合に回動棒本体３１の先端部が踏段１００の幅方向内側に移動するように回動軸１４を中心に回動棒本体３１を回動させる。これにより、回動棒本体３１は、先端部が基端部よりも踏段１００の幅方向内側に配置される。このときの回動棒３の位置を傾斜位置とする。
【００３４】
回動棒３が起立位置から傾斜位置に変位すると、挿入爪部８２が踏段１００の幅方向内側に移動するので、インナーデッキ１０２が踏段１００の幅方向内側に移動する。また、このとき、インナーデッキ支持部７は、インナーデッキ支持部７がインナーデッキ１０２の下部を支持可能となるまで回動する。これにより、インナーデッキ１０２の下部がスカートガード１０３から外れて、インナーデッキ支持部７がインナーデッキ１０２の下部を支持する。また、このとき、支持爪部８３がインナーデッキ１０２の上部を支持する。インナーデッキ支持部２に支持されたインナーデッキ１０２は、作業者により持ち運ばれる。
【００３５】
以上説明したように、この発明の実施の形態３に係るインナーデッキ取外治具によれば、インナーデッキ１０２の下部がスカートガード１０３から外れた場合に、インナーデッキ支持部７がインナーデッキ１０２の下部を支持し、インナーデッキ１０２の上部が固定部材１０４から外れた場合に支持爪部８３がインナーデッキ１０２の上部を支持するので、インナーデッキ１０２を取り外す場合に、より確実にインナーデッキ１０２を支持することができる。
【００３６】
なお、各上記実施の形態では、エスカレータのインナーデッキ１０２を取り外す際に用いられるインナーデッキ取外治具について説明したが、例えば、動く歩道のインナーデッキを取り外す際に用いられるインナーデッキ取外治具であってもよい。
【符号の説明】
【００３７】
１  基部、２  インナーデッキ支持部、３  回動棒、４  引掛棒、５  グリップ部、６  規制部、７  インナーデッキ支持部、８  引掛棒、１１  基部本体、１２  棒部材、１３  回動軸支持部、１４  回動軸、３１  回動棒本体、３２  回動軸支持部、３３  回動軸、４１  引掛棒本体、４２  爪部、７１  爪部、８１  引掛棒本体、８２  挿入爪部、８３  支持爪部、１００  踏段、１０１  クリート溝、１０２  インナーデッキ、１０３  スカートガード、１０４  固定部材、１０５  凹部、１１１  突出部。
【図１】
2017057049.tif 000003
【図２】
2017057049.tif 000004
【図３】
2017057049.tif 000005
【図４】
2017057049.tif 000006
【図５】
2017057049.tif 000007
【図６】
2017057049.tif 000008
【図７】
2017057049.tif 000009
【図８】
2017057049.tif 000010
【図９】
2017057049.tif 000011